(57)【要約】      （修正有）【課題】携帯及び安定した投球可能なピッチングマシーンを提供する。【解決手段】球筒２、発射台３及び底台５からなり。該発射台は球筒の下に連結し、球筒内のボールが発射台の滑道３１を通過する時、滑道内の発射ユニット４で順にボールを弾き、ボールを発射台前端の発射口３２から発射させる。底台５は発射台の底部に連結し、該底台の後支持フレーム５３内に発射ユニットの電源となる電池パーツ５４を収容して後支持フレームの重量を増してボール発射時の反動を抑制して安定性を向上する。【選択図】図２
0003162938.tif 000002
【実用新案登録請求の範囲】
【請求項１】
小型ピッチングマシーンにおいて、
ボールを貯める球筒と、該球筒下部に連結されて球筒から落下供給されたボールを弾いて発射する発射台と該発射台底部に連結されてボールの発射方向に展開してピッチングマシーンを支持する前支持フレームとその後方に展開する後支持フレームを具えた底台とから構成され、
該発射台は、球筒から落下供給されるボールを導く滑道、該滑道内に配置されてボールを弾いて発射する発射ユニット、及び該発射ユニットで弾かれたボールを射出する発射口を具え、
該底台は、上記発射ユニットを駆動する電源となる電池パーツを後支持フレーム内に収容して、後支持フレームの重量を付加してボール発射時の反動を抑制したことを特徴とする小型ピッチングマシーン。
【請求項２】
発射台は、球筒の下方に嵌合し、該球筒の下方周辺縁はストッパーを枢設して、該ストッパーの一端は球筒の内周辺縁から突出し、該ストッパーの他端は球筒の外周辺縁から突出し、且つ該ストッパーは復帰バネ部品を連結して、該ストッパーを回転させた後、元の位置に復帰させるようにしたことを特徴とする請求項１記載の小型ピッチングマシーン。
【請求項３】
前記発射台は、底台の上方に回転可能に連結されて発射台の発射角度を調整可能としたことを特徴とする請求項１もしくは２記載の小型ピッチングマシーン。
【請求項４】
前記発射ユニットは、第一発射器、第二発射器及び第三発射器を具え、第一発射器、第二発射器及び第三発射器は、それぞれ滑道内で突出し、該第二発射器と第三発射器は滑道の両側に対応して設され、且つ該第一発射器、第二発射器及び第三発射器は、それぞれ一モーターに連結されて同時にボールを弾き、ボールを発射口から発射させることを特徴とする請求項１もしくは２記載の小型ピッチングマシーン。
【考案の詳細な説明】
【技術分野】
【０００１】
本考案は、小型ピッチングマシーンに関するもので、特に携帯に便利で発射が安定し、球技の自由練習に使用する小型ピッチングマシーンに係わる。
【背景技術】
【０００２】
人々の時間の楽しみ方に一つのことを共に楽しむ活動があり、その中にスポーツがある。特に、球技は人々が好むスポーツで、例として、ゴルフ、テニス、卓球、バスケットボール、バレーボール、野球、サッカー等があり、それらは円球状のボールを用い、且つ、公平性、規則性を代表し、人々に親しまれている。
【０００３】
なかでも、テニス、ソフトボール、野球は、速度だけでなく反応や器用さが求められる。それらを自分でトレーニングするため、市場ではピッチングマシーンがある。それは、主にボールを貯めておく球筒及びボールを発射器へ送る運動台を備える。また、球筒内のボールをスムーズに運動台内の滑道へ落とすため、球筒内の受板上には途切れなく螺旋になった発射器を設置し、該発射器はモーターで動く組立ギアーを間接的に連動し、ボールを滑道へ送る。
【先行技術文献】
【特許文献】
【０００４】
【特許文献１】特開２００５−２２４３５６号公報
【特許文献１】特開昭６３−２０９６８０号公報
【考案の概要】
【考案が解決しようとする課題】
【０００５】
解決しようとする問題点は、公知の発射機の体積が大きすぎ、携帯に適さない。しかし、体積を小さくすると、安定が悪くなり、倒れやすくなる点である。
【０００６】
上述の問題を改善するため、考案者は長年の経験と不断の研究によって、本考案を考案した。
【課題を解決するための手段】
【０００７】
本考案は、球筒、発射台及び底台を含む。該発射台は、球筒の下方に連結し、球筒内のボールが発射台の滑道を通過する時、滑道内の発射ユニットで順にボールを弾き、ボールを発射台前端の発射口から発射させる。また該底台は発射台の底部に連結し、該底台の後支持フレーム内は発射ユニットと電気的に接続した電池パーツを設置し、後支持フレームの重量を大きくすることで、ボールが飛び出した時、発生する反動を抑え、発射機の安定性を高めることを最も主要な特徴とする。
【考案の効果】
【０００８】
本考案の小型ピッチングマシーンは、以下の利点がある。
構造が簡単で、且つ電池パーツを電源とするため、携帯しやすい。
電池パーツによって後支持フレームの重量を増やすため、ボール発射時の反動を有効に抑え、発射時の安定性を高める。
直接球筒でボールを拾い、ボールを球筒内に貯めるため、ボール拾いが楽で、何度も腰を曲げて拾い、体力を消耗するのを減らすことができる。
【図面の簡単な説明】
【０００９】
【図１】本考案の良好な実施例の立体外観図である。
【図２】本考案の良好な実施例の組立断面図である。
【図３】本考案の良好な実施例で、ボールが球筒へ進入する前の使用状態図である。
【図４】本考案の良好な実施例で、ボールが球筒に進入した後の使用状態図である。
【図５】本考案の良好な実施例で、球筒を発射台に嵌合する前の部品分解図である。
【図６】本考案の良好な実施例で、発射時の使用状態図である。
【考案を実施するための形態】
【００１０】
構造が簡単で、携帯しやすい小型ピッチングマシーンを提供することを本考案の主な目的とする。
【００１１】
電池パーツで電力を提供し、後支持フレームの重量を増やすことで、ボールが飛び出した時の反動を抑え、発射時の安定性を高める小型ピッチングマシーンを提供することを本考案の次の目的とする。
【００１２】
直接球筒でボールを拾い、ボールを球筒内に貯め、発射使用する小型ピッチングマシーンを提供することを本考案の更に別の目的とする。
【００１３】
上述の目的を達成するため、本考案の小型ピッチングマシーンは、ボールを貯める球筒、発射台及び底台を含む。そのうち，該発射台は、球筒の下方に連結し、発射台内に滑道を設置する。該滑道内には発射ユニットを設置して滑道内のボールを順に弾いて進ませる。且つ発射台の前端には発射口を成形し、該発射口と滑道は連通してボールを発射する。また該底台は発射台の底部に連結し、該底台は前支持フレームユニット及び後支持フレームを含み、該後支持フレーム内には発射ユニットと電気的に接続する電池パーツを設置して、後支持フレームの重量を増し、ボールを発射した時の反動を抑える。
【００１４】
実施時、該発射台は、球筒の下方に嵌合し、該球筒の下方周辺縁には少なくとも一ストッパーを枢設し、該ストッパーの一端は球筒の内周辺縁から突出し、ストッパーの別一端は球筒の外周辺縁から突出する。更に該ストッパーは復帰バネ部品を連接して該ストッパーが回転した後、元の位置に復帰バネするのに用いる。本考案を更に深く理解するため、下述に内容を詳述する。
【実施例】
【００１５】
図１、２に示すのは、本考案の小型ピッチングマシーン１の好適な実施例で、ボールを貯める球筒２、発射台３、発射ユニット４及び一底台５から構成される。
【００１６】
該球筒２は、細長筒形の中空円筒で、球筒２下方の筒壁上には軸心に対して対称に二個の切り欠き溝２１を設け、該二個の切り欠き溝２１内にはそれぞれ枢設軸２２（図３参照）を設置し、そこに、Ｎ形ブロックをそれぞれ設置する。該ブロックはストッパー２３で、そのストッパー２３は一個あるいは複数個でもよい。そのうち、該ストッパー２３の上端は球筒２の内周辺縁から内側に向かって突出し、該ストッパー２３の下端は球筒２の外周辺縁から外向きに突出する。更に該枢設軸２２はストッパー２３の上端と下端の間に枢設してトーションバネを枢設し、該トーションバネは復帰バネ部品２４とする。他に、該復帰バネ部品２４の一端はストッパー２３の上端を押さえ、復帰バネ部品２４の他端は球筒２の内側周辺縁で押圧係止される。
【００１７】
図３に示すとおり、球筒２の下端にボール９が設置された時、ボール９が上向きにストッパー２３の上端を押し、ストッパー２３を球筒２の切り欠き溝２１内で一定範囲回転させる。またボール９がストッパー２３の上端を通過する時、復帰バネ部品２４の弾力によってストッパー２３を元の位置に戻し、ボール９が球筒２から落ちるのを防止して複数個のボール９を球筒２内に留めておく（図４参照）。
【００１８】
該発射台３はほぼＬ字形状で、その上端は球筒２の下部に嵌合する。該発射台３の内部には滑道３１を設け、該滑道３１と球筒２は連通する。更に、該発射台３の前端は発射口３２を形成し、該発射口３２と滑道３１は連通する。図５に示すとおり、球筒２に発射台３上端を嵌合する過程に於いて、該発射台３上端の内周辺縁は上向きにストッパー２３の下端を押し、ストッパー２３を球筒２の切り欠き溝２１内で一定範囲回転させる。そのため、ストッパー２３はボール９の制御機能を備えなくなり、ボール９は発射台３内の滑道３１内に直接落下する。
【００１９】
該発射ユニット４は、発射台３の滑道３１内に設置する。該発射ユニット４は第一発射器４１、第二発射器４２、第三発射器４３及び三個モーター４４、４５、４６からなる。そのうち，該第一発射器４１は、発射桿４１１及びギアユニット４１２を具え、該発射桿４１１の下端は発射台３上に枢設し、該発射桿４１１上には案内槽４１３を設ける。また、該ギアユニット４１２上には、偏心した案内桿４１４を設置し、該案内桿４１４は案内槽４１３内に設置し、且つ該ギアユニット４１２はモーター４４と連結する。モーター４４がギアユニット４１２を回転させると、案内桿４１４が発射桿４１１を連動し、発射桿４１１の上端が回転して、滑道３１内のボール９を弾く。また、該第二発射器４２と第三発射器４３は、それぞれゴム輪で、該第二発射器４２と第三発射器４３は、滑道３１両側に対応して設置し、且つ第二発射器４２及び第三発射器４３の下方は、それぞれモーター４５、４６を連結する。二個のモーター４５、４６が回転すると、第二発射器４２及び第三発射器４３は反対方向に回転し、ボール９を弾く。実施時、第一発射器４１、第二発射器４２及び第三発射器４３を動かす三個のモーター４４、４５、４６は、回路制御板によって制御され、同時に滑道３１内のボール９を進め、ボール９を発射口３２から射出する。
【００２０】
また該底台５の上端と発射台３の下端は、調整ネジ５１で位置決めし、該調整ネジ５１の調整によって、発射台３が底台５の上方で回転し、発射台３の発射角度を調整する。他に該底台５を三角形状に配置し、それは前支持フレームユニット５２及び後支持フレーム５３を含む。該前支持フレームユニット５２は、左前支持桿５２１及び右前支持桿５２２を具え、また該後支持フレーム５３の内部は中空で、電池パーツ５４を収容し、該電池パーツ５４は回路制御板と電気的に接続し、発射ユニット４の各モーター（４４、４５、４６）を制御して回転する。
【００２１】
図６に示すとおり、後支持フレーム５３内に電池パーツ５４を収容することで、後支持フレーム５３の重量が増加し、全体の重心が下がる。そのため、ボール９を前方へ発射した時、ボール９が飛び出すことで生じる反動を抑え、後方へ倒れなくなる。
【００２２】
上述のとおり、本考案は，種構造簡単で携帯しやすく、且つ発射を安定させる小型ピッチングマシーンを提供し、実用価値を備えるため、実用新案登録を申請する。
【００２３】
以上述べた本考案の具体的実施例及びそれを運用する技術手段により、本文の掲載あるいは教示によって多くの変更及び修正が可能となる。本考案の構想に依る同効果の変更があった場合、それは説明書及び図式に含まれる実質の考案精神を超えていないものであり、それらはすべて本考案の技術範囲に含まれるものとする。
【符号の説明】
【００２４】
１        小型ピッチングマシーン
２        球筒
２１        切り欠き溝
２２        枢設軸
２３        ストッパー
２４        復帰バネ部品
３        発射台
３１        滑道
３２        発射口
４        発射ユニット
４１        第一発射器
４１１        発射桿
４１２        ギアユニット
４１３        案内槽
４１４        案内桿
４２        第二発射器
４３        第三発射器
４４        モーター
４５        モーター
４６        モーター
５        底台
５１        調整ネジ
５２        前支持フレームユニット
５２１        左前支持桿
５２２        右前支持桿
５３        後支持フレーム
５４        電池パーツ
９        ボール
【図１】
0003162938.tif 000003
【図２】
0003162938.tif 000004
【図３】
0003162938.tif 000005
【図４】
0003162938.tif 000006
【図５】
0003162938.tif 000007
【図６】
0003162938.tif 000008